(57)【要約】【課題】乳幼児が保護者の手助けなしで飲料を飲むことを補助する。【解決手段】飲料容器１０は、容器本体１５と、容器本体１５に取り付けられ飲み口部５０を有した飲み口アダプター２０と、を有する。飲み口部５０は、先端に位置する筒状の先端部５２と、先端部５２に接続し先端部５２よりも幅広の基端部５６と、を含む。先端部５２の肉厚よりも基端部５６の肉厚の方が薄い。【選択図】図１３
2020079101.tif 000002
【特許請求の範囲】
【請求項１】
容器本体と、
前記容器本体に取り付けられ、飲み口部を有した飲み口アダプターと、を備え、
前記飲み口部は、先端に位置する筒状の先端部と、前記先端部に接続し前記先端部よりも幅広の基端部と、を含み、
前記基端部の肉厚は前記先端部の肉厚より小さい、飲料容器。
【請求項２】
前記先端部を前記基端部の側に向けて押すことで、前記基端部の容積が減少するように前記基端部が変形する、請求項１に記載の飲料容器。
【請求項３】
前記基端部の幅は、前記先端部に接近するにつれて小さくなっていく、請求項１又は２に記載の飲料容器。
【請求項４】
前記基端部は、外方に向けて膨出した曲面状の外輪郭を有する、請求項１〜３のいずれか一項に記載の飲料容器。
【請求項５】
前記飲み口部の肉厚は、前記先端部が前記基端部に接続する位置において、最も大きくなる、請求項１〜４のいずれか一項に記載の飲料容器。
【請求項６】
前記先端部が前記基端部に接続する位置において、前記飲み口部の内部に突出する角部が形成されている、請求項１〜５のいずれか一項に記載の飲料容器。
【請求項７】
前記飲み口アダプターは、前記容器本体に取り付けられるアダプター本体と、アダプター本体に保持された弾性部材と、を有し、
前記弾性部材は、前記飲み口部と、前記飲み口部に接続し前記アダプター本体へ取り付けられる取り付け部と、を含み、
前記飲み口部の肉厚は、前記基端部が前記取り付け部に接続する位置において、最も小さくなる、請求項１〜６のいずれか一項に記載の飲料容器。
【請求項８】
前記取り付け部の肉厚は、前記基端部の肉厚よりも大きい、請求項７に記載の飲料容器。
【請求項９】
前記飲み口アダプターは、前記容器本体に取り付けられるアダプター本体と、アダプター本体に保持される弾性部材と、を有し、
前記弾性部材は、前記飲み口部と、前記飲み口部に接続し前記アダプター本体へ取り付けられる取り付け部と、を含み、
前記基端部の内幅は、前記基端部が前記取り付け部に接続する位置において、最も大きくなる、請求項１〜８のいずれか一項に記載の飲料容器。
【請求項１０】
前記基端部は、少なくとも前記先端部の側となる一部分において、回転体の形状を有する、請求項１〜９のいずれか一項に記載の飲料容器。
【請求項１１】
前記飲み口アダプターは、前記容器本体に取り付けられるアダプター本体と、アダプター本体に保持される弾性部材と、を有し、
前記弾性部材は、前記飲み口部と、前記飲み口部に接続し前記アダプター本体へ取り付けられる取り付け部と、前記取り付け部と接続し前記容器本体との間でシールを形成するベース部と、を有し、
前記飲み口部、前記取り付け部および前記ベース部は、一体的に形成されている、請求項１〜１０のいずれか一項に記載の飲料容器。
【請求項１２】
閉じた状態で前記飲み口部を閉鎖する開閉可能なキャップを更に備え、
前記キャップが閉じた状態において、前記キャップは、前記先端部の前記基端部とは反対側から前記先端部に接触し、飲み口部を前記基端部の側へ向けて押圧する、請求項１〜１１のいずれか一項に記載の飲料容器。
【請求項１３】
容器本体に取り外し可能に取り付けられるキャップ組立体であって、
前記容器本体に取り付けられ、飲み口部を有する飲み口アダプターを備え、
前記飲み口部は、先端に位置する筒状の先端部と、前記先端部に接続し前記先端部よりも幅広の基端部と、を含み、
前記基端部の肉厚は前記先端部の肉厚より小さい、キャップ組立体。
【請求項１４】
閉じた状態で前記飲み口部を閉鎖する開閉可能なキャップを更に備え、
前記キャップは、前記飲み口アダプターに揺動可能に接続している、請求項１３に記載のキャップ組立体。
【発明の詳細な説明】
【技術分野】
【０００１】
本発明は、飲料容器および飲料容器に用いられるキャップ組立体に関する。
【背景技術】
【０００２】
例えば特許文献１に開示されているように、飲み口を有した飲料容器が用いられている。このような飲料容器では、乳幼児の成長段階に応じて、ストロー形状や乳首形状等の飲み口が用いられる。ただし、口内の圧力を下げることができない乳幼児に対しては、保護者が容器を押して容器の内部圧力を上げることで、飲み口から飲料を押し出している。
【先行技術文献】
【特許文献】
【０００３】
【特許文献１】特開２０１８−０７０１９０号公報
【発明の概要】
【発明が解決しようとする課題】
【０００４】
本発明は、以上の点を考慮してなされたものであり、乳幼児が保護者の手助けなしで飲料を飲むことを補助することができる飲料容器の提供を目的とする。
【課題を解決するための手段】
【０００５】
本発明による飲料容器は、
容器本体と、
前記容器本体に取り付けられ、飲み口部を有した飲み口アダプターと、を備え、
前記飲み口部は、先端に位置する筒状の先端部と、前記先端部に接続し前記先端部よりも幅広の基端部と、を含み、
前記基端部の肉厚は前記先端部の肉厚より小さい。
【０００６】
本発明による飲料容器において、前記先端部を前記基端部の側に向けて押すことで、前記基端部の容積が減少するように前記基端部が変形するようにしてもよい。
【０００７】
本発明による飲料容器において、前記基端部の幅は、前記先端部に接近するにつれて小さくなるようにしてもよい。
【０００８】
本発明による飲料容器において、前記基端部は、外方に向けて膨出した曲面状の外輪郭を有するようにしてもよい。
【０００９】
本発明による飲料容器において、前記飲み口部の肉厚は、前記先端部が前記基端部に接続する位置において、最も大きくなるようにしてもよい。
【００１０】
本発明による飲料容器において、前記先端部が前記基端部に接続する位置において、前記飲み口部の内部に突出する角部が形成されていてもよい。
【００１１】
本発明による飲料容器において、
前記飲み口アダプターは、前記容器本体に取り付けられるアダプター本体と、アダプター本体に保持された弾性部材と、を有し、
前記弾性部材は、前記飲み口部と、前記飲み口部に接続し前記アダプター本体へ取り付けられる取り付け部と、を含み、
前記飲み口部の肉厚は、前記基端部が前記取り付け部に接続する位置において、最も小さくなるようにしてもよい。
【００１２】
本発明による飲料容器において、前記取り付け部の肉厚は、前記基端部の肉厚よりも大きくなっていてもよい。
【００１３】
本発明による飲料容器において、
前記飲み口アダプターは、前記容器本体に取り付けられるアダプター本体と、アダプター本体に保持される弾性部材と、を有し、
前記弾性部材は、前記飲み口部と、前記飲み口部に接続し前記アダプター本体へ取り付けられる取り付け部と、を含み、
前記基端部の内幅は、前記基端部が前記取り付け部に接続する位置において、最も大きくなるようにしてもよい。
【００１４】
本発明による飲料容器において、前記基端部は、少なくとも前記先端部の側となる一部分において、回転体の形状を有するようにしてもよい。
【００１５】
本発明による飲料容器において、
前記飲み口アダプターは、前記容器本体に取り付けられるアダプター本体と、アダプター本体に保持される弾性部材と、を有し、
前記弾性部材は、前記飲み口部と、前記飲み口部に接続し前記アダプター本体へ取り付けられる取り付け部と、前記取り付け部と接続し前記容器本体との間でシールを形成するベース部と、を有し、
前記飲み口部、前記取り付け部および前記ベース部は、一体的に形成されていてもよい。
【００１６】
本発明による飲料容器が、
閉じた状態で前記飲み口部を閉鎖する開閉可能なキャップを更に備え、
前記キャップが閉じた状態において、前記キャップは、前記先端部の前記基端部とは反対側から前記先端部に接触し、飲み口部を前記基端部の側へ向けて押圧するようにしてもよい。
【００１７】
本発明によるキャップ組立体は、
容器本体に取り外し可能に取り付けられるキャップ組立体であって、
前記容器本体に取り付けられ、飲み口部を有する飲み口アダプターを備え、
前記飲み口部は、先端に位置する筒状の先端部と、前記先端部に接続し前記先端部よりも幅広の基端部と、を含み、
前記基端部の肉厚は前記先端部の肉厚より小さい。
【００１８】
本発明によるキャップ組立体が、
閉じた状態で前記飲み口部を閉鎖する開閉可能なキャップを更に備え、
前記キャップは、前記飲み口アダプターに揺動可能に接続していてもよい。
【発明の効果】
【００１９】
本発明による飲料容器およびキャップ組立体によれば、口内の圧力を自力で変化させることを身につけていない乳幼児が、保護者の手助けなしで飲料を飲むことを効果的に補助することができる。
【図面の簡単な説明】
【００２０】
【図１】一実施の形態を説明するための図であって、キャップが閉じた状態の飲料容器を示す側面図。
【図２】図１に示された飲料容器のキャップ組立体をキャップが開いた状態で示す斜視図。
【図３】図２のＩＩＩ−ＩＩＩ線に沿った飲料容器の断面図。
【図４】図２のＩＶ−ＩＶ線に沿った断面図。
【図５】図２のキャップ組立体に含まれた飲み口アダプターのアダプター本体を示す斜視図。
【図６】図２のキャップ組立体に含まれた飲み口アダプターの弾性部材を示す斜視図。
【図７】図６のＩＶ−ＩＶ線に沿った断面図。
【図８】図３に対応するキャップ組立体の断面図であって、キャップが閉じた状態を示す図。
【図９】図３に対応するキャップ組立体の断面図であって、キャップが少し開いた状態を示す図。
【図１０】飲み口アダプターの弁部を、閉鎖した状態にて、示す平面図。
【図１１】図１０に対応する図であって、飲み口アダプターの弁部を、開放突出部を用いて開放した状態にて、示す平面図。
【図１２】図１０に対応する図であって、飲み口アダプターの弁部を、支持突起を用いて開放した状態にて、示す平面図。
【図１３】飲み口アダプターの飲み口部の作用を説明するための図である。
【図１４】飲み口アダプターの飲み口部の作用を説明するための図である。
【図１５】飲み口部の一変形例を説明するための斜視図。
【発明を実施するための形態】
【００２１】
図１〜図１５は、本発明による飲料容器及びキャップ組立体の一実施の形態を説明するための図である。このうち、図１は飲料容器の全体構成示す側面図であり、図２はキャップ組立体を示す斜視図であり、図３は飲料容器の縦断面図である。以下、図面に示した具体例を参照して一実施の形態について説明する。
【００２２】
図１に示された飲料容器１０は、容器本体１５と、容器本体１５に取り外し可能に取り付けられたキャップ組立体１８と、を有している。キャップ組立体１８は、容器本体１５に取り外し可能に取り付けられる飲み口アダプター２０と、飲み口アダプター２０に対して相対動作可能なキャップ７０と、を有している。飲み口アダプター２０は、飲料容器１０に収容した飲料（液体）を飲むための飲み口を形成している。図示された例において、キャップ７０は、飲み口アダプター２０に対して揺動軸線Ａｓを中心として揺動可能になっている。キャップ７０は、飲み口アダプター２０に相対揺動することで、飲み口を有した飲み口アダプター２０を開閉する。キャップ７０は、図１（及び後述する図８）に示された閉じた状態において、飲み口を覆う。すなわち、この飲料容器１０において、飲料を飲まない不使用時には、キャップ７０を閉じて飲み口を隠す。また、飲料を飲む使用時には、キャップ７０を開いて、飲み口を露出させることができる。
【００２３】
そして、本実施の形態による飲料容器１０は、キャップ７０を閉じた状態から開いた際に飲み口から飲料が噴出することを効果的に防止するための工夫がなされている。さらに、本実施の形態による飲料容器１０は、口内の圧力を自力で変化させることを身につけていない乳幼児が保護者の手助けなしで飲料を飲むことを補助するための工夫がなされている。
【００２４】
図３に示すように、容器本体１５は、内部に飲料を収容する。容器本体１５は、開口１５Ｘを有している。この開口１５Ｘを介して、容器本体１５の内部に飲料を充填することができる。飲料容器１０を水平面に載置した状態において、開口１５Ｘは鉛直方向における上方に向けて開口し、水平面に広がる。図示された例において、開口１５Ｘの近傍となる容器本体１５の外周面に、外螺子１６が形成されている。容器本体１５は、例えば、透明な樹脂材料によって形成された樹脂成形物とすることができる。
【００２５】
なお、本明細書において、「上」や「下」との用語は、特に説明が無い限り、飲料容器１０を水平面上に配置した状態を基準としている。また、図面間での方向の関係を明確化するため、いくつかの図面には、第１方向ｄ１、第２方向ｄ２及び第３方向ｄ３を図面間で共通する方向として示している。第１方向ｄｘ及び第２方向ｄｙは、開口１５Ｘが広がる面上に方向としている。とりわけ、第１方向ｄｘ及び第２方向ｄｙは互いに対向している。第３方向ｄｚは、開口１５Ｘが広がる面への法線方向としている。
【００２６】
次に、飲み口アダプター２０について説明する。飲み口アダプター２０は、容器本体１５に取り外し可能に取り付けられる。図３に示すように、飲み口アダプター２０は、容器本体１５の外螺子１６と噛み合う内螺子２１を有している。飲み口アダプター２０は、容器本体１５の開口１５Ｘを覆うように容器本体１５に対して固定される。飲み口アダプター２０は、飲み口を有するとともに、容器本体１５に通じる通気穴２５を形成されている。通気穴２５には、飲料容器１０の内部と外部の連通および遮断を切り替える弁が設けられている。
【００２７】
図３に示すように、飲み口アダプター２０は、具体的な構成として、アダプター本体３０及び弾性部材４０を有している。アダプター本体３０は、内螺子２１を形成され、容器本体１５に取り付け可能となっている。アダプター本体３０は、例えば樹脂材料によって形成された樹脂成形物とすることができる。弾性部材４０は、アダプター本体３０によって保持されている。弾性部材４０は、アダプター本体３０よりも弾性率が低くて弾性変形し易い材料（例えばゴムや樹脂）を用いて形成され、上述した飲み口をなす飲み口部５０および弁をなす弁部６５を形成している。
【００２８】
図５に示すように、アダプター本体３０は、周壁部３２と、周壁部３２に接続した天壁部３４と、を有している。図示された例において、周壁部３２及び天壁部３４は、樹脂成形物として一体的に形成されている。周壁部３２は、第３方向ｄｚに開口した円筒状となっている。周壁部３２の内面に、内螺子２１が形成されている。天壁部３４は、筒状の周壁部３２の一方の開口を覆うように形成され、概ね第３方向ｄｚに直交する面上に広がっている。
【００２９】
図５に示すように、天壁部３４には、保持開口３４ａが形成されている。保持開口３４ａは、弾性部材４０を保持する部位となる。保持開口３４ａの周縁は、他の部分よりもいくらか厚みが厚くなり、すなわち肉厚となって、補強されている。保持開口３４ａが形成されている領域は、当該領域の周囲に位置し周壁部３２に接続する周囲領域よりも、僅かに（具体的には数ｍｍ）隆起して段差を形成している。この段差の部分に開閉凹部３５が形成されている。開閉凹部３５は、キャップ７０と係合してキャップ７０を閉じた状態に維持する開閉係合部（図８参照）として機能する。また、図４に示すように、天壁部３４は、保持開口３４ａに隣接する位置に、支持突起３６を有している。支持突起３６は、後述する弾性部材４０の操作突起６８を引っ掛けられるように構成されている。支持突起３６は、引っ掛けられた操作突起６８を弾性変形した状態に維持する。さらに、図３に示すように、天壁部３４は、その縁部に接続隆起部３７を更に有している。接続隆起部３７には、貫通孔３７ａが形成されている。接続隆起部３７は、飲み口アダプター２０とキャップ７０との接続に用いられる。
【００３０】
弾性部材４０は、図６に示すように、ベース部４２と、ベース部４２上に設けられた取り付け部４６と、取り付け部４６上に設けられた飲み口部５０及び通気穴形成部６０と、を有している。ベース部４２、取り付け部４６、飲み口部５０及び通気穴形成部６０は、例えばゴムにより、一体的に形成されている。
【００３１】
図６に示すように、ベース部４２は、平板状に形成されたベース板状部４３と、ベース板状部４３上に設けられた環状凸部４４と、を有している。ベース板状部４３は、円板状に形成されている。ベース板状部４３は、その中央にベース開口４３ａを設けられている。ベース開口４３ａは後述する飲み口部５０の中空区間に通じている。また、ベース開口４３ａは、後述する通気穴形成部６０の中空区間に通じ、通気穴２５の一部分を形成している。環状凸部４４は、ベース板状部４３の円周状の縁部に沿って設けられている。ベース板状部４３から第３方向ｄｚにおける天壁部３４の側に向けて突出している。
【００３２】
図３に示すように、容器本体１５の外螺子１６と飲み口アダプター２０の内螺子２１とを噛み合わせて、飲み口アダプター２０を容器本体１５に固定した際、容器本体１５の開口１５Ｘを画成する円周状の先端面１７がベース板状部４３に当接する。ベース板状部４３は、容器本体１５の先端面１７と液密なシールを形成する。環状凸部４４は、容器本体１５の先端面１７と、ベース板状部４３を挟んで第３方向ｄｚに対向している。したがって、環状凸部４４は、アダプター本体３０の天壁部３４に当接することで、ベース板状部４３を先端面１７に向けて押圧する。すなわち、環状凸部４４によって、容器本体１５とキャップ組立体１８との間の密閉性を向上させることができる。
【００３３】
図３、図４及び図６に示すように、取り付け部４６は、ベース板状部４３のベース開口４３ａを形成する縁部に沿って設けられている。図示された例において、取り付け部４６は、天壁部３４の保持開口３４ａを形成する縁部を受ける凹部または溝部として形成されている。取り付け部４６が天壁部３４に係合することで、弾性部材４０がアダプター本体３０に保持されるようになっている。弾性部材４０の安定した保持を確保する上で、弾性部材４０は取り付け部４６において肉厚になっていることが好ましい。
【００３４】
次に、飲料容器１０の飲み口を形成する飲み口部５０について説明する。図６及び図７に示すように、飲み口部５０は、ベース板状部４３のベース開口４３ａに対面する位置に配置されている。飲み口部５０は、飲み口アダプター２０を貫通する飲料の流路を形成することができる。飲み口部５０は、先端部５２及び基端部５６を有している。先端部５２は、ベース部４２及び取り付け部４６から第３方向ｄｚに離間した先端側に位置している。基端部５６は、先端部５２及び取り付け部４６の間に位置している。図示された例において、基端部５６は、先端部５２及び取り付け部４６に接続している。基端部５６は、先端部５２よりも幅広となっている。例えば、図７に示すように、基端部５６の第１方向ｄｘに沿った長さは、先端部５２の第１方向ｄｘに沿った長さよりも長く、図３に示すように、基端部５６の第２方向ｄｙに沿った長さは、先端部５２の第２方向ｄｙに沿った長さよりも長くなっている。
【００３５】
先端部５２は、第３方向ｄｚに細長く延びた筒状に形成されている。先端部５２の幅は、僅かであるが、第３方向ｄｚに沿って基端部５６に接近するにつれて広がっていく。先端部５２は、中空部に飲料の流路を絞るオリフィス部５３を形成されている。オリフィス部５３が飲み口部５０内の飲料通路を絞ることで、適切な量の飲料だけが飲み口部５０を通過するようになる。また、先端部５２の中空部は、基端部５６の側において拡径している。拡径した部分は、筒状部材保持部５４として、ストロー等の筒状部材３９を保持する。この筒状部材３９は、容器本体１５の底部まで延び、容器本体１５内の飲料に浸され得る。したがって、飲み口部５０から吸い込んだ際には、容器本体１５内の空気（気体）ではなく飲料（液体）が吸い出され得る。なお、筒状部材３９は、図１、図３及び後述する図１５以外の図において図示を省略している。
【００３６】
基端部５６は、図２及び図６に示されているように、外方に向けて膨出した曲面状の外輪郭を有している。基端部５６は、少なくとも先端部５２に近接する側の一部分において、回転体の形状を有している。図示された例において、基端部５６は、すくなくとも部分的に、第３方向ｄｚに延びる軸線を中心とした回転体の形状を有している。とりわけ図示された例において、基端部５６は、後述する通気穴形成部６０との接続する部分を除き、第３方向ｄｚに延びる軸線を中心とした回転体の形状を有している。
【００３７】
なお、先端部５２も、少なくとも部分的に第３方向ｄｚに延びる軸線を中心とした回転体の形状を有するようにしてもよい。図示された先端部５２は、その全体において、第３方向ｄｚに延びる軸線を中心とした回転体の形状を有している。
【００３８】
図６及び図７に示すように、基端部５６の幅は、第３方向ｄｚに沿って先端部５２に近接する側で最も狭い。すなわち、基端部５６の幅は、先端部５２に接続する位置において最も狭い。基端部５６の幅は、第３方向ｄｚに沿って取り付け部４６に近接側で最も広い。すなわち、基端部５６の幅は、取り付け部４６に接続する位置において最も広い。とりわけ図示された例において、基端部５６の幅は、第３方向ｄｚに沿って先端部５２の側から取り付け部４６の側へ向けて、連続的に広がっていく。同様に、基端部５６の内幅は、第３方向ｄｚに沿って先端部５２に近接する側で最も狭い。基端部５６の内幅は、第３方向ｄｚに沿って取り付け部４６に近接側で最も広い。とりわけ図示された例において、基端部５６の内幅は、第３方向ｄｚに沿って先端部５２の側から取り付け部４６の側へ向けて、連続的に広がっていく。
【００３９】
なお、飲み口部５０に対して用いる「幅」とは、第１方向ｄｘ及び第２方向ｄｙによって画成される面上に位置する方向に沿った、言い換えると第３方向ｄｚに直交する方向に沿った飲み口部５０の寸法のことを指している。また、飲み口部５０に対して用いる「内幅」とは、第１方向ｄｘ及び第２方向ｄｙによって画成される面上に位置する方向に沿った、言い換えると第３方向ｄｚに直交する方向に沿った、飲み口部５０の内寸法、つまり飲み口部５０の中空部の寸法、更に言い換えると飲み口部５０の内表面間の寸法のことを指している。
【００４０】
図７に示すように、基端部５６の肉厚は、第３方向ｄｚに沿って先端部５２に近接する側で最も厚い。すなわち、基端部５６の肉厚は、先端部５２に接続する位置において最も厚い。基端部５６の肉厚は、第３方向ｄｚに沿って取り付け部４６に近接側で最も薄い。すなわち、基端部５６の肉厚は、取り付け部４６に接続する位置において最も薄い。とりわけ図示された例において、基端部５６の肉厚は、第３方向ｄｚに沿って先端部５２の側から取り付け部４６の側へ向けて、連続的に薄くなっていく。そして、図示された例において、基端部５６の肉厚は、いずれの位置においても、先端部５２のいずれの位置の肉厚よりも薄い。また、基端部５６の肉厚は、いずれの位置においても、取り付け部４６のいずれの位置の肉厚よりも薄い。
【００４１】
また、図７に示すように、基端部５６は、その先端部５２に接続する端部において、第３方向ｄｚに直交する方向へ先端部５２から延び出している。そして、飲み口部５０は、先端部５２が基端部５６に接続する位置において、当該飲み口部５０の内部に突出する角部５０ａを形成している。すなわち、飲み口部５０は、その外表面において、先端部５２及び基端部５６の接続位置において環状の凹部（くびれ部）を形成している。飲み口部５０は、その内表面において、先端部５２及び基端部５６の接続位置において環状の凸部を形成している。一方、基端部５６は、その取り付け部４６に接続する端部において、第３方向ｄｚへ取り付け部４６から延び出している。
【００４２】
以上の構成を有する飲み口部５０では、後述するように、基端部５６を直接押すことで、或いは、先端部５２を基端部５６の側に向けて押すことで、基端部５６の内部容積が減少するように基端部５６が変形する。
【００４３】
次に、通気穴形成部６０について説明する。図４に示すように、通気穴形成部６０は、ベース板状部４３のベース開口４３ａに対面する位置に配置されている。通気穴形成部６０は、飲み口アダプター２０を貫通する通気穴２５を形成している。具体的な構成として、通気穴形成部６０は、取り付け部４６上に設けられた筒状部６２を有している。筒状部６２内に、通気穴２５が形成されている。
【００４４】
筒状部６２は、後述するキャップ７０の栓部７８が当接するようになる座面６３を有している。座面６３は、円環状の面となっている。座面６３は、第３方向ｄｚに直交する面上に位置している。通気穴形成部６０は、座面６３を取り囲む環状壁部６４を更に有している。環状壁部６４は、第３方向ｄｚに沿って容器本体１５とは反対側へ、座面６３から延び出している。環状壁部６４は、第３方向ｄｚに沿って座面６３に近接する側で内幅が小さくなるよう、円錐台の側面の形状をなす内壁面６４ａを有している。この内壁面６４ａが座面６３に接続している。
【００４５】
図示された例において、筒状部６２は飲み口部５０と第２方向ｄｙに並べられている。筒状部６２は飲み口部５０と直接接続している。筒状部６２は飲み口部５０と一体的に形成されている。
【００４６】
通気穴形成部６０は、通気穴２５内に配置されて通気穴２５を閉鎖する弁部６５を有している。弁部６５は、筒状部６２の内部に設けられている。弁部６５は、後述するキャップ７０の開放突出部８０に接触することで開放される。弁部６５は、開放突出部８０が離間している状態において、通気穴２５を閉鎖し得る。
【００４７】
図２に示すように、弁部６５は、互いに対向して配置された複数の弾性板状部（弁板部）６６を有している。弾性板状部６６は、その基端において、筒状部６２の内壁面に接続している。複数の弾性板状部６６の各々は、第３方向ｄｚに直交する面に対して傾斜している。各弾性板状部６６は、筒状部６２に接続した基端よりも先端において容器本体１５の側に位置するよう、傾斜している。複数の弾性板状部６６は、その先端を互いに接触させることで、通気穴２５を閉鎖するようになっている。弾性板状部６６が先端側で容器本体１５の内部側へ寄るように傾斜していることで、弾性板状部６６は、容器本体１５の内部側へ傾斜又が湾曲して変形し易くなっている。その一方で、弾性板状部６６は、容器本体１５の内部側へ傾斜又が湾曲する変形よりも容器本体１５の外部側へ傾斜又は湾曲する変形に対して、より高い剛性を有する。
【００４８】
とりわけ図示された例において、弁部６５は、互いに対向して配置された二つの弾性板状部６６を有している。各弾性板状部６６は、概ね半円状の輪郭を有している。各弾性板状部６６は、半円の弧となる部分によって基端を形成されている。そして、半円の弧となる部分が、筒状部６２の内壁面に接続している。一方、弾性板状部６６は、半円の弦となる部分によって先端を形成されている。半円の弦となる部分は、半円の弧のうちの当該弦から最も離間した位置よりも、第３方向ｄｚにおいて容器本体１５の側に位置している。二枚の弾性板状部６６は、先端をなす直線状の縁部６６ａを互いに接触させて、通気穴２５を閉鎖することができる。後述するように開放突出部８０が突き当たることによって、二枚の弾性板状部６６は変形し、通気穴２５が開放され得る。図示された例において、各弾性板状部６６は、平板状に形成されている。図２〜図４に示すように、弾性板状部６６の直線状の縁部６６ａは、第１方向ｄｘに沿って延びている。
【００４９】
さらに、図２、図４及び図６に示すように、通気穴形成部６０は、筒状部６２から延出した操作突起６８を更に有している。操作突起６８は、第３方向ｄｚに直交する方向であって弾性板状部６６の縁部６６ａに沿った方向へ、筒状部６２から延出している。図４に示すように、操作突起６８は、通常の状態において、アダプター本体３０の支持突起３６の内部に入っている。後述するように、操作突起６８を弾性変形させることで、操作突起６８を支持突起３６の内部から引き出して支持突起３６上に配置することもできる。
【００５０】
次に、キャップ７０について説明する。図８に示すように、キャップ７０は、飲料容器１０の不使用時に飲み口部５０を塞ぐようになっている。図示された例において、キャップ７０は、飲み口アダプター２０に揺動可能に接続している。具体的な構成として、キャップ７０は、飲み口アダプター２０に接続したキャップ本体７２と、キャップ本体７２に保持された栓部７８及び開放突出部８０を有している。キャップ７０は、全体としてドーム状またはお椀状の形状を有している。図８に示すように、キャップ７０は、閉じた状態において、ドーム状またはお椀状をなす膨出部内に飲み口部５０や通気穴形成部６０を収容することができる。
【００５１】
図３及び図８に示すように、キャップ本体７２は、飲み口アダプター２０の接続隆起部３７に形成された貫通孔３７ａを通過する軸部７２ａを有している。軸部７２ａは円柱状の部位として形成さている。軸部７２ａの軸線がキャップ７０の揺動軸線Ａｓを形成する。なお、第２方向ｄｙにおいて、軸部７２ａと飲み口部５０との間に通気穴形成部６０が設けられている。また、キャップ本体７２は、飲み口アダプター２０の開閉凹部３５と係合し得る開閉凸部７３を有している。開閉凸部７３は、飲み口アダプター２０の開閉凹部３５と係合してキャップ７０を閉じた状態に維持する開閉係合部として機能する。
【００５２】
図２及び図８に示すように、キャップ本体７２は、キャップ７０が閉じた状態において飲み口部５０を収容する収容凹部７４を有している。図８に示すように、キャップ７０が閉じている間、キャップ７０は、飲み口部５０の先端部５２に基端部５６とは反対側から接触する。さらにキャップ７０は、概ね第３方向ｄｚに沿って、飲み口部５０を容器本体１５の側へ向けて押す。
【００５３】
キャップ７０を閉じている間、飲み口部５０は、キャップ７０の収容凹部７４内へと誘導される。図８に示すように、キャップ７０の開閉凸部７３が飲み口アダプター２０の開閉凹部３５に嵌まりキャップ７０が閉じた状態において、キャップ７０によって第３方向ｄｚに押された飲み口部５０は、アダプター本体３０からの突出量を低減するように変形している。具体的には、肉厚が薄くて変形し易い飲み口部５０の基端部５６が、外方にせり出して屈曲することで潰れるように変形する。
【００５４】
また、キャップ本体７２は、収容凹部７４内に挿入凸部７５を有している。キャップ７０を閉じた状態において、挿入凸部７５は、飲料の流路をなす先端部５２の開口に嵌まりこむ。このとき、収容凹部７４と先端部５２との間で液密なシールが形成され、飲み口部５０からの飲料の漏れ出しを規制することができる。すなわち、キャップ７０が閉じた状態で、飲み口部５０が閉鎖される。また、収容凹部７４内には、飲み口部５０の先端部５２の向きを誘導するための誘導凸部７６が設けられている。誘導凸部７６は、飲み口アダプター２０に対してキャップ７０が揺動して閉じる際、先端部５２の先端に接触して、先端部５２の先端を挿入凸部７５に向けて案内することができる。
【００５５】
図２及び図８に示すように、キャップ本体７２には、栓部７８及び開放突出部８０が設けられている。栓部７８は、キャップ７０が閉じた状態で通気穴２５を塞ぐようになっている。図示された例において、栓部７８は、キャップ７０が閉じた状態で、筒状部６２の上方の開口を塞ぐようになっている。図示された栓部７８は、円筒状の筒状部６２に対応して、円柱状に形成されている。図８に示すように、キャップ７０が閉じた状態で、栓部７８は、筒状部６２の座面６３上に位置し、座面６３との間で液密なシールを形成する。また、キャップ７０が閉じた状態で、栓部７８の先端は、筒状部６２の環状壁部６４内に挿入されている。環状壁部６４の内径は、栓部７８の外径よりわずかに小さく設定されている。したがって、キャップ７０が閉じた状態において、環状壁部６４は周長をますように弾性変形して栓部７８の先端部を受け入れる。この結果、栓部７８は、環状壁部６４の内壁面６４ａとの間でも液密なシールを形成することができる。
【００５６】
ここで、図９は、キャップ７０が完全に閉じた状態から少し揺動した状態を示している。キャップ７０が完全に閉じた状態とは、図８に示された状態であって、キャップ７０の開閉凸部７３が飲み口アダプター２０の開閉凹部３５と係合している状態である。上述したように、キャップ７０が閉じた状態において、基端部５６が潰れるように変形して、飲み口部５０の第３方向ｄｚへの全長を短くしている。図９に示された状態において、基端部５６は概ね復元し、キャップ７０の収容凹部７４に設けられた挿入凸部７５による飲み口部５０の閉鎖が解除される直前となっている。すなわち、図９に示された状態では、飲み口部５０は閉鎖された状態にある。その一方で、図９に示された状態において、栓部７８は、座面６３から離間し、環状壁部６４内に入り込んでいない。すなわち、図示された例では、キャップ７０を閉じる際、栓部７８が通気穴２５を閉鎖する前に、挿入凸部７５によって飲み口部５０が閉鎖される。また図示された例では、閉じた状態にあるキャップ７０を開く際、飲み口部５０が閉鎖されているままの状態で、まず、栓部７８が通気穴２５を開放する。
【００５７】
次に、開放突出部８０について説明する。開放突出部８０は、図８に示すように、キャップ７０が閉じた状態で弁部６５に接触して、弁部６５による通気穴２５の閉鎖を解除する。上述したように、通気穴２５を閉鎖する弁部６５の弾性板状部（弁板部）６６は、第３方向ｄｚに直交する面に対して、その基端から先端に向けて容器本体１５の側へ傾斜している。したがって、開放突出部８０が、容器本体１５とは反対側から弾性板状部６６に接触することで、対向配置された弾性板状部６６の先端をなす縁部６６ａの接触が解除される。図８及び図９に示すように、開放突出部８０と接触した弾性板状部６６は、容器本体１５の側へ撓み、弁部６５による通気穴２５の閉鎖が解除される。
【００５８】
図示された例において、開放突出部８０は平板状となっている。図２から理解されるように、弁部６５に挿入される平板状の開放突出部８０は、平板の板厚の方向が弁部６５の切り込みをなす弾性板状部６６の直線状縁部６６ａの長手方向（第１方向ｄｘ）に沿っていることが好ましい。言い換えると、開放突出部８０の板面が、弾性板状部６６の直線状縁部６６ａの長手方向（第１方向ｄｘ）に直交していることが好ましい。図示された例において、開放突出部８０の板面は、第１方向ｄｘに直交する第２方向ｄｙに沿っている。そして、図１０に示すように、キャップ７０が閉じた状態での配置における開放突出部８０の、弾性板状部６６の縁部６６ａの長手方向（第１方向ｄｘ）に沿った、長さＬａは、縁部６６ａの長手方向（第１方向ｄｘ）と直交する方向（第２方向ｄｙ）に沿った開放突出部８０の長さＬｂよりも短くなっている。このような例によれば、図１１に示すように、対向する弾性板状部６６の縁部６６ａを互いから大きく離間させることができ、しかも、縁部６６ａの間に形成された隙間を開放突出部８０が大きく塞いでしまうことを効果的に防止することができる。
【００５９】
なお、図２に示すように、開放突出部８０は、リブ８１等によって適宜補強されていてもよい。このようなリブ８１は、単に開放突出部８０を補強するだけでなく、弾性板状部６６の変形を促進および誘導し、且つ、弁部６５を通過する気体を整流することできる。とりわけ、図２に示された例のように、平板状の開放突出部８０の法線方向（第２方向ｄｙ）に突出したリブ８１によれば、弾性板状部６６の安定した変形と気体の円滑な誘導とを効果的に実現することができる。
【００６０】
また、図９に示すように、開放突出部８０の先端８２は、当該先端８２の長手方向（略第２方向ｄｙ）における両側において、例えば面取りにより、丸味８２ａを有している。この丸味８２ａによって、開放突出部８０との弁部６５との摩擦を低減し、且つ、弁部６５の弾性板状部６６の損傷を効果的に防止することが可能となる。
【００６１】
ところで、上述したように、図９に示された状態において、基端部５６は概ね復元し、飲み口部５０の閉鎖は解除される直前となっている。すなわち、図９に示された状態では、飲み口部５０は閉鎖された状態にある。そして、図９に示された状態において、開放突出部８０は、弁部６５に接触して弁部６５による通気穴２５の閉鎖を解除している。図示された例では、キャップ７０を閉じる際、挿入凸部７５によって飲み口部５０が閉鎖される前に、開放突出部８０が弁部６５に接触して弁部６５による通気穴２５の閉鎖を解除する。また図示された例において、閉じた状態にあるキャップ７０を開く際、飲み口部５０が開放された際に、開放突出部８０は弁部６５に接触したままであって弁部６５による通気穴２５の閉鎖は解除されている。
【００６２】
図示された例において、栓部７８及び開放突出部８０は、キャップ本体７２に固定されたブロック体７７によって形成されている。そして、開放突出部８０は、栓部７８から突出し、栓部７８と一体的に形成されている。
【００６３】
次に、以上の構成からなる飲料容器１０の作用について説明する。
【００６４】
まず、図８に示すように、飲料容器１０の不使用時、キャップ７０の開閉凸部７３を飲み口アダプター２０の開閉凹部３５に係合させて、キャップ７０を飲み口アダプター２０に対して閉じた状態に維持する。このとき、図８に示すように、飲み口部５０及び通気穴２５は、キャップ７０によって覆われており、衛生面において好ましい。
【００６５】
また、図８に示すように、キャップ７０が第３方向ｄｚから飲み口部５０の先端に接触することで、飲み口部５０の基端部５６は、外側に膨らみ且つ屈曲して、第３方向ｄｚに潰れている。基端部５６の弾性変形により、飲み口部５０の先端は、キャップ７０の収容凹部７４に向けて押し付けられる。この結果、キャップ７０の挿入凸部７５が飲み口部５０の先端部５２の開口に嵌まり込み、飲み口部５０を液密に閉鎖することができる。したがって、飲料容器１０が意図せず倒れたり、鞄等の内部で適切な姿勢に維持されなかったとしても、飲み口部５０から飲料が漏れ出すことを効果的に防止することができる。
【００６６】
なお、キャップ７０が閉じた状態において、図８に示すように、キャップ７０に設けられた開放突出部８０が、弁部６５に接触して、弁部６５による通気穴２５の閉鎖が解除されている。ただし、キャップ７０が閉じた状態において、栓部７８が筒状部６２の座面６３上に着座し、且つ、栓部７８が環状壁部６４に嵌まり込んでいる。すなわち、キャップ７０に設けられた栓部７８によって通気穴２５は閉鎖されている。したがって、飲料容器１０が意図せず倒れたり、鞄等の内部で適切な姿勢に維持されなかったとしても、通気穴２５から飲料が漏れ出すことを効果的に防止することができる。
【００６７】
ところで、飲料容器の内部に収容した飲料が、時間の経過にともなって、温度が上昇することもある。飲料の温度が上昇すると、飲料容器の内部圧力が上昇する。そして、この状態からキャップを開くと、内部圧力によって飲料が飲み口から噴出することも想定される。
【００６８】
このような不具合に対し、本実施の形態では、キャップ７０が閉じている状態において、開放突出部８０が弁部６５を開放している。ただし、キャップ７０が閉じている状態において、栓部７８が通気穴２５を閉鎖しているので、通気穴２５からの飲料の漏れ出しを効果的に防止することができる。そして、キャップ７０を開き始めると、まず、栓部７８が、座面６３から離間して環状壁部６４から抜け出す。このとき、図９に示すように、飲み口部５０の先端は、キャップ７０の収容凹部７４内に位置し、且つ、飲み口部５０は挿入凸部７５によって閉鎖されている。一方、開放突出部８０は、弁部６５に接触したままであり、弁部６５は開放された状態に維持されている。したがって、キャップ７０を開き始めた際、飲み口部５０から飲料が噴出することなく、通気穴２５を介して飲料容器１０の内部が外部に連通する。通気穴２５は、飲み口部５０とは異なり、ストロー等の筒状部材３９に接続していない。したがって、飲料容器１０が適切な姿勢に維持されていれば、通気穴２５が飲料中に浸されていることはない。これにより、キャップ７０の開き始めに通気穴２５を介して飲料容器１０の内部から気体を排出し、飲料容器１０の内部圧力を解放することができる。このようにして、キャップ７０の開き始めにおける飲料の吹き出しを効果的に回避することができる。
【００６９】
飲料容器１０の内部圧力を解放した後、さらにキャップ７０を開くことで、キャップ７０の挿入凸部７５が飲み口部５０から離間して、飲み口部５０の閉鎖が解除される。さらにキャップ７０を開くと、開放突出部８０が弁部６５から離間し、弁部６５が通気穴２５を閉鎖するようになる。
【００７０】
キャップ７０を開くことによって、飲み口部５０を咥えて、飲料容器１０内の飲料を飲むことができる。飲み口部５０から飲料を排出する際、通気穴２５を介して飲料容器１０の内部に空気を送り込むことができる。これにより、飲み口部５０からの飲料の吸い出しを円滑に行うことができる。とりわけ、図示された例では、弾性板状部６６が先端側で容器本体１５の内部側へ寄るように傾斜している。したがって、弾性板状部６６は、容器本体１５の内部側へ傾斜又は湾曲しやすくなっている。これにより、容器本体１５の内部への空気の供給が円滑に行われ、飲料容器１０から飲料を飲むことを阻害することを効果的に防止することができる。
【００７１】
その一方で、弁部６５の弾性板状部６６は、飲料容器１０の内部側へ傾斜又は湾曲する変形よりも、飲料容器１０の外部側へ傾斜又は湾曲する変形に対して、より高い剛性を有する。すなわち、弁部６５の弾性板状部６６は、飲料容器１０の外側へ傾斜又は湾曲しにくくなっている。したがって、飲料容器１０の転倒時等に、弁部６５を介して飲料が漏れ出すことを効果的に防止することができる。
【００７２】
なお、図４に示すように、通気穴２５を形成する筒状部６２に操作突起６８が接続している。飲料容器１０から飲料を飲む際に、図４に二点鎖線で示すように、操作突起６８を飲み口アダプター２０の支持突起３６上に引っ掛けるようにしてもよい。図１２に示すように、この操作によって、筒状部６２は第１方向ｄｘへ圧縮されるようになる。このとき、対向する弾性板状部６６の縁部６６ａは互いにから離間して、一対の縁部６６ａの間に隙間が形成される。これにより、飲料容器１０の内部が大気圧に維持され、飲料容器１０から飲料を飲むことを阻害されなくなる。
【００７３】
ところで、低月齢の乳幼児は、口内の圧力を下げることができない。このような乳幼児に対しては、保護者が飲料容器を押して飲料容器の内部圧力を上げることで、飲み口から飲料を押し出していた。本実施の形態の飲料容器１０では、飲み口部５０は、先端に位置する筒状の先端部５２と、先端部５２に接続し先端部５２よりも幅広の基端部５６と、を有している。そして、先端部５２の肉厚よりも基端部５６の肉厚の方が薄くなっている。このため、図１３に示すように、飲み口部５０を咥えた唇が基端部５６を直接押すことで、基端部５６の容積が減少するように基端部５６が変形する。また、図１４に示すように、先端部５２を基端部５６の側に向けて押すことで、基端部５６の容積が減少するように基端部５６が変形する。これにより、飲料容器１０の内部圧力が上昇し、飲料が飲み口部５０から送り出されるようになる。これにより、口内の圧力を自力で変化させることを身につけていない乳幼児でも、保護者の手助け無しで、飲料容器１０内の飲料を飲むことが可能となる。また、この飲料容器１０を用いることで、乳幼児は、飲料を吸って飲む練習を行うことができる。
【００７４】
以上に説明してきた一実施の形態において、容器本体１５に通じる通気穴２５が飲み口アダプター２０に形成され、飲み口アダプター２０は通気穴２５内に配置されて通気穴２５を閉鎖する弁部６５を有している。キャップ７０は、飲み口アダプター２０に対して相対移動可能なキャップ本体７２と、当該キャップ７０が閉じた状態で通気穴２５を塞ぐ栓部７８と、当該キャップ７０が閉じた状態で弁部６５に接触して弁部６５による通気穴２５の閉鎖を解除する開放突出部８０と、を有している。キャップ７０を開く際、栓部７８が通気穴２５を開放した後に開放突出部８０が弁部６５から離間する。
【００７５】
すなわち、キャップ７０を開く際、キャップ７０の栓部７８が通気穴２５を開いた後にキャップ７０の開放突出部８０が弁部６５から離間して弁部６５が通気穴２５を閉鎖する。したがって、キャップ７０の開き始めに、弁部６５および栓部７８の両方が通気穴２５を開放することができる。これにより、収容した飲料の温度変化等に起因して容器本体１５の内部圧力が上昇していたとしても、キャップ７０を開く動作中に、言い換えるとキャップ７０を開き終わる前に、通気穴２５が容器本体１５の内部を外部に開放して、容器本体１５の内部の空気を外部に排出することができる。とりわけ、本実施の形態において、弁部６５の開放は、開放突出部８０が弁部６５に接触することにより実現されている。したがって、弁部６５の適切な開放を安定して確保することができる。
【００７６】
図示された例では、キャップ７０の開き始めの一時期の間だけ、さらに好ましくは、飲み口部５０がドーム状のキャップ７０内に位置して当該キャップ７０に覆われている一時期の間だけ、通気穴２５が容器本体１５の内部を外部に開放して、容器本体１５の内部の空気を外部に排出することができる。これにより、飲み口部５０から飲料が噴出することを効果的に防止することができる。
【００７７】
上述した一実施の形態の具体例において、弁部６５は、互いに対向して配置された複数の弾性板状部（弁板部）６６を有している。複数の弾性板状部６６の各々は、基端から先端に向けて容器本体１５の側へ傾斜している。そして、複数の弾性板状部６６は、開放突出部８０から離間した状態で、その先端を互いに接触させて通気穴２５を閉鎖する。より具体的には、弁部６５は、互いに対向して配置された二つの弾性板状部６６を有し、二つの弾性板状部６６は、開放突出部８０から離間した状態で、その先端となる直線状の縁部６６ａを互いに接触させて通気穴２５を閉鎖する。
【００７８】
このような具体例では、基端から先端に向けて容器本体１５の側へ弾性板状部６６が傾斜しているので、外部から容器本体１５の内部に流体（とりわけ気体）が入りやすく、容器本体１５の内部から外部へ流体（とりわけ気体）が流出しにくくすることができる。したがって、飲料を飲む際に、容器本体１５の内部の飲料の減少にともない、通気穴２５を介して円滑に空気が容器本体１５の内部に流入することができる。すなわち、大きな吸引力を必要とせずに、容器本体１５の内部の飲料を飲むことができる。その一方で、飲料容器１０が倒れたこと等に起因して通気穴２５を介して飲料が意図せず漏れ出すことを効果的に防止することができる。
【００７９】
また、弁部６５が互いに対向して配置された二つの弾性板状部６６を有する例では、当該二つの弾性板状部６６によって通気穴２５を安定して閉鎖することができる。その一方で、開放突出部８０が接触することによって、弁部６５をより確実に開放することができる。
【００８０】
上述した一実施の形態の具体例において、弾性板状部６６は平板状となっている。このような弾性板状部６６によれば、凹部状に湾曲した板状部と比較して、開放突出部８０が接触しやすくなる。これにより、キャップ７０の閉鎖にともなって、弁部６５による通気穴２５の閉鎖をより安定して解除することができる。
【００８１】
上述した一実施の形態の具体例において、開放突出部８０は板状となっている。このような例によれば、開放突出部８０が板状に形成されていることから、開放突出部８０それ自体が通気穴２５を大きく閉鎖してしまうことを効果的に防止することができる。したがって、キャップ７０の開き始めに通気穴２５を開放して、容器本体１５の内部の空気を外部に安定して排出することができる。
【００８２】
上述した一実施の形態の具体例において、開放突出部８０は板状となっている。そして、キャップ７０が閉じた状態での配置において、開放突出部８０の、弾性板状部６６の縁部６６ａの長手方向にあたる第１方向ｄｘに沿った開放突出部８０の長さＬａは、第１方向ｄｘに直交する第２方向ｄｙに沿った開放突出部８０の長さＬｂよりも短くなっている。このような例によれば、開放突出部８０それ自体が通気穴２５を大きく閉鎖してしまうことを効果的に防止することができるので、キャップ７０の開き始めに容器本体１５の内部の空気を外部に安定して排出することができる。また、開放突出部８０の弁部６５に対する向きによって、開放突出部８０が、弾性板状部６６間に大きな隙間を形成することができる。これにより、容器本体１５の内部の空気を外部に更に安定して排出することができる。
【００８３】
上述した一実施の形態の具体例において、開放突出部８０の先端８２は、当該先端８２の長手方向における両側において丸味８２ａを有している。このような例によれば、開放突出部８０と弁部６５との摩擦を低減することができる。これにより、弁部６５の円滑な開放動作を確保することができ、また弁部６５の損傷を効果的に回避することができる。
【００８４】
上述した一実施の形態の具体例において、飲み口アダプター２０は、通気穴２５を形成する筒状部６２を有しおり、弁部６５は筒状部６２の内部に設けられている。このような例によれば、筒状部６２によって、弁部６５を保護することができる。また、外部との接触等に起因して意図せず弁部６５の通気穴２５の閉鎖が解除されることを効果的に防止することができる。
【００８５】
上述した一実施の形態の具体例において、筒状部６２は、飲み口部５０と接続し飲み口部５０と一体的に形成されている。このような例によれば、筒状部６２の剛性が向上するので、筒状部６２の変形を効果的に抑制することができる。これにより、筒状部６２の変形等に起因して弁部６５の通気穴２５の閉鎖が意図せず解除されることを効果的に防止することができる。
【００８６】
上述した一実施の形態の具体例において、開放突出部８０は、栓部７８から突出し、栓部７８と一体的に形成されている。このような例によれば、栓部７８および開放突出部８０の相対位置のずれを効果的に防止することができる。したがって、栓部７８および開放突出部８０の組み合わせが、通気穴２５の意図した開閉を安定して行うことができる。すなわち、キャップ７０の開き始めに通気穴２５を開放して、容器本体１５の内部の空気を外部に安定して排出することができる。
【００８７】
上述した一実施の形態の具体例において、飲み口部５０、弁部６５、取り付け部４６およびベース部４２は、一体的に形成されている。このような例によれば、部品点数を低減することができ、洗浄時等の取り扱い性を改善することができる。
【００８８】
また、上述してきた一実施の形態において、飲み口部５０は、先端に位置する筒状の先端部５２と、先端部５２に接続し先端部５２よりも幅広の基端部５６と、を含んでいる。基端部５６の肉厚は先端部５２の肉厚よりも薄い。すなわち、基端部５６は先端部５２よりも幅広且つ薄肉であることから変形し易い。したがって、先端部５２を咥えた口によって基端部５６が直接押されることや、又は、先端部５２を基端部５６に向けて押すことによって、基端部５６が変形して飲み口部５０の内部容積を減少させることができる。飲料容器１０の内部容積が減少すると、飲み口部５０によって形成される飲み口から飲料が送り出されることになる。これにより、口内の圧力を自力で変化させることを身につけていない乳幼児でも、保護者の手助け無しで、飲料容器１０内の飲料を飲むことが可能となる。そして、この飲料容器１０を用いることで、乳幼児は、飲料を吸って飲む練習を行うことができる。
【００８９】
上述した一実施の形態の具体例において、先端部５２を基端部５６の側に向けて押すことで、基端部５６の容積が減少するように基端部５６が変形する。この例によれば、先端部５２を基端部５６の側へ押すことによって、飲料容器１０の内部容積を大きく変化させることができる。これにより、飲み口からの飲料の送り出しを効果的に促進することができる。
【００９０】
上述した一実施の形態の具体例において、基端部５６の幅は、先端部５２に接近するにつれて小さくなっていく。この例によれば、先端部５２を咥えた口によって押された際や、先端部５２を介して押された際に、内部容積を減少させる基端部５６の変形を安定して引き起こすことができる。
【００９１】
上述した一実施の形態の具体例において、基端部５６は、外方に向けて膨出した曲面状の外輪郭を有する。この例によれば、先端部５２を咥えた口によって押された際に、基端部５６は内側に撓んで、内部容積を大きく減少させることができる。また、先端部５２を介して押された際に、基端部５６は外方に撓んで潰れ易くなる。したがって、内部容積を減少させる基端部５６の変形を安定して引き起こすことができる。
【００９２】
上述した一実施の形態の具体例において、飲み口部５０の肉厚は、先端部５２が基端部５６に接続する位置において、最も大きくなる。この例によれば、先端部５２での変形を抑制する一方で、基端部５６での変形を促進することができる。つまり、先端部５２を咥えた口によって押された際や、先端部５２を介して押された際に、内部容積を減少させる基端部５６の変形を安定して引き起こすことができる。
【００９３】
上述した一実施の形態の具体例において、先端部５２が基端部５６に接続する位置に、飲み口部５０の内部に突出する角部５０ａが形成されている。この例によれば、先端部５２を介して押された際に、基端部５６が外方に撓んで潰れ易く且つ先端部５２が基端部５６側に移動し易くなる。したがって、飲み口部５０の内部容積を減少させる基端部５６の変形を安定して引き起こすことができる。
【００９４】
上述した一実施の形態の具体例において、飲み口部５０の肉厚は、基端部５６が取り付け部４６に接続する位置において、最も小さくなる。この例によれば、アダプター本体３０に固定された取り付け部４６に対して、取り付け部４６に隣接した基端部５６が変形し易くなる。つまり、先端部５２を咥えた口によって押された際や、先端部５２を介して押された際に、内部容積を減少させる基端部５６の変形を安定して引き起こすことができる。
【００９５】
上述した一実施の形態の具体例において、取り付け部４６の肉厚は、基端部５６の肉厚よりも大きい。この例によれば、アダプター本体３０に固定された取り付け部４６に対して、取り付け部４６に隣接した基端部５６を更に変形し易くすることができる。
【００９６】
上述した一実施の形態の具体例において、基端部５６の内幅は、基端部５６が取り付け部４６に接続する位置において、最も大きくなる。この例によれば、先端部５２を介して押された際に、基端部５６は外方に撓んで潰れやすくなる。したがって、内部容積を減少させる基端部５６の変形を安定して引き起こすことができる。
【００９７】
上述した一実施の形態の具体例において、基端部５６は、少なくとも先端部５２側の一部分において、回転体の形状を有するこの例によれば、種々の方向からの力によって基端部５６が変形することができる。
【００９８】
上述した一実施の形態の具体例において、飲み口部５０、取り付け部４６およびベース部４２は、一体的に形成されている。このような例によれば、部品点数を低減することができ、洗浄時等の取り扱い性を改善することができる。
【００９９】
上述した一実施の形態の具体例において、キャップ７０が閉じた状態において、キャップ７０は、先端部５２の基端部５６は反対側から先端部５２に接触し、基端部５６の側へ向けて押圧する。この例によれば、キャップ７０が閉じた状態で、先端部５２を基端部５６の側に移動させ且つ基端部５６を外方に撓ませ潰すように変形させることができる。したがって、キャップ７０が閉じた状態において、飲み口部５０の弾性変形を利用した先端部５２とキャップ７０との当接により、飲み口部５０を安定して閉鎖することができる。これにより、飲料容器１０の不使用時に、飲料の漏れを効果的に防止することができる。
【０１００】
加えて、この具体例によれば、基端部５６の変形量を制御することで、キャップ７０の開き始めから飲み口部５０が開放されるまでのキャップ７０の相対移動量を十分に確保することができる。したがって、飲み口部５０よりも先に通気穴２５を安定して開放することができる。これにより、飲料容器１０の内部圧力を解放し、飲み口部５０からの飲料の吹き出しを効果的に防止することができる。
【０１０１】
一実施の形態を具体例に基づいて説明してきたが、これらの具体例が一実施の形態を限定することを意図していない。上述した一実施の形態は、その他の様々な具体例で実施されることが可能であり、その要旨を逸脱しない範囲で、種々の省略、置き換え、変更を行うことができる。
【０１０２】
以下、図面を参照しながら、変形の一例について説明する。以下の説明および以下の説明で用いる図面では、上述した具体例と同様に構成され得る部分について、上述の具体例における対応する部分に対して用いた符号と同一の符号を用いるとともに、重複する説明を省略する。
【０１０３】
例えば上述した具体例において、先端部５２及び基端部５６を有した飲み口部５０との組み合わせにおいて、通気穴２５の開閉に関連する構成を用いる例について説明した。しかしながら、上述した通気穴２５の開閉に関連する構成は、先端部５２及び基端部５６を有した飲み口部５０に限られず、キャップ７０を開く際の飲料の吹き出しを効果的に防止することができる。例えば、図１５に示すように、ストロー形状を有した飲み口部５０とともに、上述した通気穴２５の開閉に関連する構成を用いることも可能である。
【符号の説明】
【０１０４】
１０   飲料容器
１５   容器本体
１５Ｘ 開口
１６   外螺子
１７   先端面
１８   キャップ組立体
２０   飲み口アダプター
２１   内螺子
２５   通気穴
３０   アダプター本体
３２   周壁部
３４   天壁部
３４ａ 保持開口
３５   開閉凹部
３６   支持突起
３７   接続隆起部
３７ａ 貫通孔
３９   筒状部材
４０   弾性部材
４２   ベース部
４３   ベース板状部
４３ａ ベース開口
４４   環状凸部
４６   取り付け部
５０   飲み口部
５０ａ 角部
５２   先端部
５３   オリフィス部
５４   筒状部材保持部
５６   基端部
６０   通気穴形成部
６２   筒状部
６３   座面
６４   環状壁部
６４ａ 内壁面
６５   弁部
６６   弾性板状部
６６ａ 縁部
６８   操作突起
７０   キャップ
７２   キャップ本体
７２ａ 軸部
７３   開閉凸部
７４   収容凹部
７５   挿入凸部
７６   誘導凸部
７７   ブロック体
７８   栓部
８０   開放突出部
８１   リブ
８２   先端
８２ａ 丸味
ｄｘ   第１方向
ｄｙ   第２方向
ｄｚ   第３方向
Ａｓ   揺動軸線
【図１】
2020079101.tif 000003
【図２】
2020079101.tif 000004
【図３】
2020079101.tif 000005
【図４】
2020079101.tif 000006
【図５】
2020079101.tif 000007
【図６】
2020079101.tif 000008
【図７】
2020079101.tif 000009
【図８】
2020079101.tif 000010
【図９】
2020079101.tif 000011
【図１０】
2020079101.tif 000012
【図１１】
2020079101.tif 000013
【図１２】
2020079101.tif 000014
【図１３】
2020079101.tif 000015
【図１４】
2020079101.tif 000016
【図１５】
2020079101.tif 000017